【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
インクを収容する第１のインクタンクと、
前記第１のインクタンクから供給されるインクを収容する第２のインクタンクと、
前記第１のインクタンクから前記第２のインクタンクへインクを供給するインク供給路と、を備えるインク供給装置において、
前記インク供給路から前記第２のインクタンクへインクが移動できない状態とした後に、前記インク供給路と前記第１のインクタンクの間でインクを移動させて撹拌する第１の撹拌動作と、前記インク供給路から前記第１のインクタンクへインクが移動できない状態とした後に、前記インク供給路と前記第２のインクタンクの間でインクを移動させて撹拌する第２の撹拌動作と、を行うインク撹拌機構を備えることを特徴とするインク供給装置。
【請求項２】
前記インク撹拌機構は、
前記インク供給路に設けられ、内部容積が変化可能な容積変化部と、
前記第１のインクタンクと前記容積変化部の間に設けられ、開状態と閉状態とに切り替わることによって前記インク供給路を開閉可能な第１開閉部と、
前記第２のインクタンクと前記容積変化部の間に設けられ、開状態と閉状態とに切り替わることによって前記インク供給路を開閉可能な第２開閉部と、を備え、
前記第２開閉部を閉状態とした後に、前記容積変化部の内部容積を変化させて前記第１の撹拌動作を行い、
前記第１開閉部を閉状態とした後に、前記容積変化部の内部容積を変化させて前記第２の撹拌動作を行うことを特徴とする請求項１に記載のインク供給装置。
【請求項３】
前記容積変化部は、重力方向において前記インク供給路の最下部に設けられていることを特徴とする請求項２に記載のインク供給装置。
【請求項４】
前記インク撹拌機構は、
開状態と閉状態とに切り替わることによって前記インク供給路を開閉可能な開閉弁と、前記開閉弁と前記第１のインクタンクの間に設けられ、内部容積が変化可能な第１の容積変化部と、
前記開閉弁と前記第２のインクタンクの間に設けられ、内部容積が変化可能な第２の容積変化部と、を備え、
前記開閉弁を閉状態とした後に、前記第１の容積変化部の内部容積を変化させて前記第１の撹拌動作を行い、前記第２の容積変化部の内部容積を変化させて前記第２の撹拌動作を行うことを特徴とする請求項１に記載のインク供給装置。
【請求項５】
前記インク撹拌機構は、
インクを一時的に収容可能なインク収容部と、
前記インク収容部と前記インク供給路とを接続する接続流路と、
前記接続流路に設けられ、第１方向と該第１方向の逆方向である第２方向にインクを供給可能な供給手段と、
前記接続流路と前記第１のインクタンクの間に設けられ、開状態と閉状態とに切り替わることによって前記インク供給路を開閉可能な第１開閉部と、
前記接続流路と前記第２のインクタンクの間に設けられ、開状態と閉状態とに切り替わることによって前記インク供給路を開閉可能な第２開閉部と、を備え、
前記第２開閉部を閉状態とした後に、前記供給手段によって前記第１の撹拌動作を行い、
前記第１開閉部を閉状態とした後に、前記供給手段によって前記第２の撹拌動作を行うことを特徴とする請求項１に記載のインク供給装置。
【請求項６】
前記インク収容部は、可撓性を有し内部容積が変化可能な部材で構成されることを特徴とする請求項５に記載のインク供給装置。
【請求項７】
前記インク撹拌機構は、
内部容積が変化可能、かつインク供給路を開状態または閉状態とすることが可能な第１の容積変化部と、
内部容積が変化可能、かつインク供給路を開状態または閉状態とすることが可能な第２の容積変化部と、を備え、
前記第２の容積変化部によって前記インク供給路を閉状態とした後に、前記第１の容積変化部の内部容積を変化させて前記第１の撹拌動作を行い、
前記第１の容積変化部によって前記インク供給路を閉状態とした後に、前記第２の容積変化部の内部容積を変化させて前記第２の撹拌動作を行うことを特徴とする請求項１に記載のインク供給装置。
【請求項８】
前記インク撹拌機構は、前記第１の撹拌動作の前に、前記第２の撹拌動作を行うことを特徴とする請求項１〜７のいずれか１項に記載のインク供給装置。
【請求項９】
前記第１の撹拌動作と前記第２の撹拌動作とは異なる動作であることを特徴とする請求項１〜８のいずれか１項に記載のインク供給装置。
【請求項１０】
前記第２のインクタンクは、前記第１のインクタンクの下方に配置されると共に、大気と連通する大気連通部と、前記第２のインクタンクから前記第１のインクタンクへ空気を導入する空気導入路と、を備えることを特徴とする請求項１〜９のいずれか１項に記載のインク供給装置。
【請求項１１】
前記インク供給路の一端が前記第１のインクタンクの底部に接続され、他端が前記第２のインクタンクの底部に接続され、
前記空気導入路の一端が前記第１のインクタンクの底部に接続され、他端が前記第２のインクタンクの上部に接続されていることを特徴とする請求項１０に記載のインク供給装置。
【請求項１２】
インクを収容する第１のインクタンクと、
前記第１のインクタンクから供給されるインクを収容する第２のインクタンクと、
前記第１のインクタンクから前記第２のインクタンクへインクを供給するインク供給路と、
前記第２のインクタンクから供給されるインクを用いて記録動作を行う記録ヘッドと、を備えるインクジェット記録装置において、
前記インク供給路から前記第２のインクタンクへインクが移動できない状態とした後に、前記インク供給路と前記第１のインクタンクの間でインクを移動させて撹拌する第１の撹拌動作と、前記インク供給路から前記第１のインクタンクへインクが移動できない状態とした後に、前記インク供給路と前記第２のインクタンクの間でインクを移動させて撹拌する第２の撹拌動作と、を行うインク撹拌機構を備えることを特徴とするインクジェット記録装置。
【請求項１３】
前記インク撹拌機構は、前記第１の撹拌動作の前に、前記第２の撹拌動作を行うことを特徴とする請求項１２に記載のインクジェット記録装置。
【請求項１４】
前記記録動作が行われている間に、前記第１の撹拌動作が開始されることを特徴とする請求項１３に記載のインクジェット記録装置。
【請求項１５】
前記第２のインクタンクは、前記第１のインクタンクの下方に配置されると共に、大気と連通する大気連通部と、前記第２のインクタンクから前記第１のインクタンクへ空気を導入する空気導入路と、を備えることを特徴とする請求項１２〜１４のいずれか１項に記載のインクジェット記録装置。
【請求項１６】
前記インク供給路の一端が前記第１のインクタンクの底部に接続され、他端が前記第２のインクタンクの底部に接続され、
前記空気導入路の一端が前記第１のインクタンクの底部に接続され、他端が前記第２のインクタンクの上部に接続されていることを特徴とする請求項１５に記載のインクジェット記録装置。
【請求項１７】
インクを収容する第１のインクタンクと、
前記第１のインクタンクの下方に配置され、前記第１のインクタンクから供給されるインクを収容すると共に、大気連通部を備える第２のインクタンクと、
前記第２のインクタンクから供給されるインクを用いて記録動作を行う記録ヘッドと、
前記第１のインクタンクと前記第２のインクタンクを接続し、前記第２のインクタンク内に開口する第１開口部を備える第１の流路と、
前記第１のインクタンクと前記第２のインクタンクを接続し、前記第２のインクタンク内に前記第１開口部よりも高い位置に開口する第２開口部を備える第２の流路と、を備え、
前記第１の流路を通じて前記第１のインクタンクから前記第２のインクタンクへインクが供給され、前記第２の流路を通じて前記第２のインクタンクから前記第１のインクタンクへ空気が供給されるインクジェット記録装置であって、
前記第１の流路を通じて前記第２のインクタンクから前記第１のインクタンクへインクを移動させ、前記第２の流路を通じて前記第１のインクタンクから前記第２のインクタンクへインクを移動させることによって、前記第１のインクタンクおよび前記第２のインクタンク内のインクを循環させる循環動作を行う循環機構を有することを特徴とするインクジェット記録装置。
【請求項１８】
インクを収容する第１のインクタンクと、
前記第１のインクタンクから供給されるインクを収容する第２のインクタンクと、
前記第２のインクタンクから供給されるインクを用いて記録動作を行う記録ヘッドと、
前記第１のインクタンクと前記第２のインクタンクを接続する第１の流路と、
前記第１の流路に設けられ、内部容積が変化可能であり且つ前記内部容積が拡大したときに前記第１の流路からインクが流入し、前記内部容積が縮小したときに前記第１の流路へインクが流出する容積変化部と、
前記第１のインクタンクと前記容積変化部の間に設けられ、前記第１の流路を開閉可能な第１開閉部と、
前記第２のインクタンクと前記容積変化部の間に設けられ、前記第１の流路を開閉可能な第２開閉部と、を備えることを特徴とするインクジェット記録装置。
【請求項１９】
前記第２のインクタンクは、前記第１のインクタンクの下方に配置されると共に、大気連通部を備える、ことを特徴とする請求項１８に記載のインクジェット記録装置。
【請求項２０】
前記第１の流路は、前記第２のインクタンク内に開口する第１開口部を備え、
前記第２の流路は、前記第２のインクタンク内に開口し、前記第１開口部よりも高い位置に開口する第２開口部を備え、
前記第１の流路を通じて前記第１のインクタンクから前記第２のインクタンクへインクが供給され、前記第２の流路を通じて前記第２のインクタンクから前記第１のインクタンクへ空気が供給される、ことを特徴とする請求項１８または請求項１９に記載のインクジェット記録装置。
【手続補正２】
【補正対象書類名】明細書
【補正対象項目名】００１２
【補正方法】変更
【補正の内容】
【００１２】
上記目的を達成するため、本発明のインクジェット記録装置は、インクを収容する第１のインクタンクと、前記第１のインクタンクから供給されるインクを収容する第２のインクタンクと、前記第１のインクタンクと前記第２のインクタンクを接続する第１の流路と、前記第１の流路に設けられ、内部容積が変化可能であり且つ前記内部容積が拡大したときに前記第１の流路からインクが流入し、前記内部容積が縮小したときに前記第１の流路へインクが流出する容積変化部と、前記第１のインクタンクと前記容積変化部の間に設けられ、前記第１の流路を開閉可能な第１開閉部と、前記第２のインクタンクと前記容積変化部の間に設けられ、前記第１の流路を開閉可能な第２開閉部と、を備えることを特徴とする。
【手続補正３】
【補正対象書類名】明細書
【補正対象項目名】００１４
【補正方法】変更
【補正の内容】
【００１４】
また、他の本発明のインクジェット記録装置は、インクを収容する第１のインクタンクと、前記第１のインクタンクの下方に配置され、前記第１のインクタンクから供給されるインクを収容すると共に、大気連通部を備える第２のインクタンクと、前記第１のインクタンクと前記第２のインクタンクを接続し、前記第２のインクタンク内に開口する第１開口部を備える第１の流路と、前記第１のインクタンクと前記第２のインクタンクを接続し、前記第２のインクタンク内に前記第１開口部よりも高い第２開口部を備える第２の流路と、を備え、前記第１の流路を通じて前記第１のインクタンクから前記第２のインクタンクへインクが供給され、前記第２の流路を通じて前記第２のインクタンクから前記第１のインクタンクへ空気が供給されるインク供給装置において、前記第１の流路を通じて前記第２のインクタンクから前記第１のインクタンクへインクを移動させ、前記第２の流路を通じて前記第１のインクタンクから前記第２のインクタンクへインクを移動させることによって、前記第１のインクタンクおよび前記第２のインクタンク内のインクを循環させる循環動作を行う循環機構を有することを特徴とする。